(57)【要約】【課題】複数のユーザーが利用する状況下であってもすべてのユーザーが好みの番組を短時間で選択し得る表示制御装置を提供する。【解決手段】テレビ放送の各チャンネルに対応する例えば６個のサムネイル画像Ｇｓ２〜Ｇｓ７を表示部のインデックス画面Ｐｉ１内に表示させると共に各サムネイル画像Ｇｓ２〜Ｇｓ７の１個以上を他のサムネイル画像に切替表示させる切替表示制御を実行する表示制御部を備えた表示制御装置であって、インデックス画面Ｐｉ１内に固定的に表示させるサムネイル画像に対応するチャンネルを５個以内で任意に指定する指定操作が可能な操作手段を備え、表示制御部は、指定操作がされたときに、指定チャンネルに対応するサムネイル画像をインデックス画面Ｐｉ１内に固定的に表示させると共にそのサムネイル画像以外の他のサムネイル画像に対して切替表示制御を実行する。【選択図】        図３
2005033420.tif 000002
【特許請求の範囲】
【請求項１】
テレビ放送の各チャンネルに対応するＮ個（Ｎは２以上の自然数）のサムネイル画像を表示部のインデックス画面内に表示させると共に当該表示させている各サムネイル画像の１個以上を他のサムネイル画像に切替表示させる切替表示制御を実行する表示制御部を備えた表示制御装置であって、
前記インデックス画面内に固定的に表示させる前記サムネイル画像に対応するチャンネルを（Ｎ−１）の範囲内で任意に指定する指定操作が可能な操作手段を備え、
前記表示制御部は、前記指定操作がされたときに、当該指定された指定チャンネルに対応するサムネイル画像を前記インデックス画面内に固定的に表示させると共に当該サムネイル画像以外の他のサムネイル画像に対して前記切替表示制御を実行する表示制御装置。
【請求項２】
前記表示制御部は、前記指定チャンネルに対応するサムネイル画像と、前記切替表示制御を実行する他のサムネイル画像とを互いに識別可能な表示態様で前記インデックス画面内に表示させる請求項１記載の表示制御装置。
【請求項３】
前記表示制御部は、前記表示態様として、前記指定チャンネルに対応するサムネイル画像を前記インデックス画面内のいずれかの隅部から整列して表示させる請求項２記載の表示制御装置。
【請求項４】
前記表示制御部は、前記表示態様として、前記指定チャンネルに対応するサムネイル画像の周縁部を太枠画像で囲んで表示させる２または３記載の表示制御装置。
【請求項５】
前記各チャンネルの放送信号を抽出可能な第１および第２のチューナを備え、
前記表示制御部は、前記第１のチューナによって抽出された前記放送信号に基づくテレビ映像と、前記第２のチューナによって抽出された前記放送信号に基づく前記サムネイル画像を含む前記インデックス画面とを合成して前記表示部に表示させる請求項１から４のいずれかに記載の表示制御装置。
【請求項６】
請求項１から５のいずれかに記載の表示制御装置と、前記表示部とを備えているテレビジョン装置。
【発明の詳細な説明】
【０００１】
【発明の属する技術分野】
本発明は、テレビ放送の各チャンネルに対応するサムネイル画像を表示部のインデックス画面内に表示可能に構成された表示制御装置およびテレビジョン装置に関するものである。
【０００２】
【従来の技術】
今日、地上波放送に加えてＢＳ放送やＣＳ放送などの様々な放送形態でテレビ放送（テレビジョン放送）が行われている状況下において、テレビ放送のチャンネル数は、視聴者がその選択に苦慮するほど増加している。このため、チャンネル（番組）の選択を容易とするために、近年のテレビジョン装置は、一般的に、各チャンネルに対応する小画像（サムネイル画像）を複数表示したチャンネル選択用のインデックス画面を映し出す機能を備えている。この種のテレビジョン装置では、インデックス画面に表示された複数のサムネイル画像を一度に見ることができるため、好みの番組（観賞する番組）を比較的容易に選択する（見つける）ことが可能になっている。しかし、インデックス画面に表示可能なサムネイル画像数よりもチャンネル数が多いときには、インデックス画面を切り替える（ページ切替する）必要があるため、例えば、興味を抱くサムネイル画像が複数のインデックス画面（複数のページ）に表示されていてこれらを見比べたいときには、インデックス画面を繰り返して何度も切り替えなければならない結果、好みの番組を短時間で探すことが困難である。
【０００３】
この課題を解決する手段として、特開平９−１１６８２１号公報には、予めセット（プリセット）されたチャンネルに対応するサムネイル画像（チャンネル情報）をチャンネルサーチ画面（インデックス画面）内に優先的に表示するテレビジョン受像機が開示されている。この場合、このテレビジョン受像機は、合成部（１０５）、切り換え部（１０６）、第２のチューナ（１０７）、第２の選局制御部（１０９）、操作部（１１１）、表示部（１１２）、ＩＦ検波・映像処理部（３１０）およびマルチＰＩＰ処理部（４００）などを備えて構成されている。
【０００４】
このテレビジョン受像機では、操作部（１１１）を操作して、チャンネルサーチ画面内に表示させるべきサムネイル画像のチャンネルをプリセットしておく。一方、チャンネルサーチ画面を表示させる際には、操作部（１１１）を操作してプリセットしたチャンネルのプリセットデータを第２の選局制御部（１０９）に転送させる。次いで、第２の選局制御部（１０９）が、第２のチューナ（１０７）に対してプリセットされた各チャンネルの放送電波を抽出（サーチ）させる。続いて、第２のチューナ（１０７）は、それらの各チャンネルに対応する放送電波を抽出して中間周波数（ＩＦ）に変換してＩＦ検波・映像処理部（３１０）に出力する。次いで、ＩＦ検波・映像処理部（３１０）は、第２のチューナ（１０７）から出力された各チャンネルの画像信号を順次信号処理してマルチＰＩＰ処理部（４００）に出力する。
【０００５】
続いて、マルチＰＩＰ処理部（４００）は、ＩＦ検波・映像処理部（３１０）から順次出力される各画像信号を圧縮しつつＡ／Ｄ変換して画像データを生成し、生成した各画像データを記憶する。次に、マルチＰＩＰ処理部（４００）は、記憶している各画像データをＤ／Ａ変換して画像信号を生成して出力する。この際に、Ｄ／Ａ変換された画像信号は合成部（１０５）および切り換え部（１０６）を介して表示部（１１２）に出力される。次いで、表示部（１１２）は、画像信号に基づく複数のサムネイル画像をチャンネルサーチ画面内に表示する。これにより、プリセットされた複数のチャンネルに対応するサムネイル画像がチャンネルサーチ画面内に表示される。したがって、このテレビジョン受像機では、チャンネルを予めセットしておくことにより、数多くのチャンネルの中からユーザーの好みに合った番組が放送されている可能性の高いチャンネルに対応するサムネイル画像をチャンネルサーチ画面内に優先的に表示させて見比べることができるため、好みの番組を短時間で選択することが可能になっている。
【０００６】
【特許文献１】
特開平９−１１６８２１号公報（第２−４頁）
【０００７】
【発明が解決しようとする課題】
ところが、この従来のテレビジョン受像機には、以下の問題点がある。すなわち、このテレビジョン受像機では、予めセットされたチャンネルに対応するサムネイル画像を優先的に表示することにより、好みの番組を短時間で選択することが可能となっている。しかしながら、一般的に、年齢や性別の相違によって番組の好みが異なるため、一般家庭において、年齢や性別が異なる複数のユーザーがこのテレビジョン受像機を使用する際に問題が生じる。具体的には、例えば子供が、子供向け番組を中心に放送するチャンネルだけをプリセットした際には、ニュース番組やスポーツ番組を好む大人としては、サムネイル画像を表示させた際に、好みの番組が表示される可能性が低いため、全てのチャンネルに対応するサムネイル画像を表示させるべくチャンネルサーチ画面を繰り返して何度も切り替えて好みの番組を探すこととなる。この結果、好みの番組を短時間で探すのが困難となる。したがって、このテレビジョン受像機には、複数のユーザーが利用する状況下では、すべてのユーザーが好みの番組を短時間で選択するのが困難であるという問題点が存在する。
【０００８】
本発明は、かかる問題点に鑑みてなされたものであり、複数のユーザーが利用する状況下であってもすべてのユーザーが好みの番組を短時間で選択し得る表示制御装置およびテレビジョン装置を提供することを主目的とする。
【０００９】
【課題を解決するための手段】
上記目的を達成すべく本発明に係る表示制御装置は、テレビ放送の各チャンネルに対応するＮ個（Ｎは２以上の自然数）のサムネイル画像を表示部のインデックス画面内に表示させると共に当該表示させている各サムネイル画像の１個以上を他のサムネイル画像に切替表示させる切替表示制御を実行する表示制御部を備えた表示制御装置であって、前記インデックス画面内に固定的に表示させる前記サムネイル画像に対応するチャンネルを（Ｎ−１）の範囲内で任意に指定する指定操作が可能な操作手段を備え、前記表示制御部は、前記指定操作がされたときに、当該指定された指定チャンネルに対応するサムネイル画像を前記インデックス画面内に固定的に表示させると共に当該サムネイル画像以外の他のサムネイル画像に対して前記切替表示制御を実行する。
【００１０】
この表示制御装置では、インデックス画面内に固定的に表示させるサムネイル画像に対応するチャンネルを指定する指定操作が操作手段側で行われたときに、表示制御部が、指定されたチャンネルに対応するサムネイル画像をインデックス画面内に固定的に表示させると共に、固定的に表示させるサムネイル画像以外の他のサムネイル画像に対して切替表示制御を実行する。このため、ユーザーが興味を抱いたサムネイル画像をその場で指定してインデックス画面内に固定的に表示させることが可能となる。したがって、予めセットされたチャンネルに対応するサムネイル画像を表示する従来のテレビジョン装置とは異なり、どのユーザーであってもインデックス画面の切り替えを何度も繰り返すことなく、興味を抱いた複数のサムネイル画像を１つのインデックス画面内で見比べてその中から観賞する番組を選択することが可能となる。この結果、複数のユーザーが利用する状況下においても、各ユーザーが好みの番組を短時間でしかも容易に選択することが可能となる。
【００１１】
また、本発明に係る表示制御装置は、上記の表示制御装置において、前記表示制御部は、前記指定チャンネルに対応するサムネイル画像と、前記切替表示制御を実行する他のサムネイル画像とを互いに識別可能な表示態様で前記インデックス画面内に表示させる。
【００１２】
この表示制御装置では、操作手段に対して指定操作がされたときに、表示制御部が、指定チャンネルに対応するサムネイル画像と、他のサムネイル画像とを識別可能な表示形態で表示させる。このため、例えば、ユーザーがどのサムネイル画像を指定したのかが不明となって指定操作を最初からやり直す事態を確実に防止することが可能となる。
【００１３】
また、本発明に係る表示制御装置は、上記の表示制御装置において、操作手段に対して指定操作がされたときに、表示制御部が、前記表示態様として、前記指定チャンネルに対応するサムネイル画像を前記インデックス画面内のいずれかの隅部から整列して表示させる。
【００１４】
この表示制御装置では、操作手段に対して指定操作がされたときに、表示制御部が、指定チャンネルに対応するサムネイル画像をインデックス画面内のいずれかの隅部から整列して表示させる。このため、ユーザーは、指定したチャンネルに対応するサムネイル画像と他のサムネイル画像とを容易に見分けることが可能となる。
【００１５】
さらに、本発明に係る表示制御装置は、上記の表示制御装置において、操作手段に対して指定操作がされたときに、表示制御部が、前記表示態様として、前記指定チャンネルに対応するサムネイル画像の周縁部を太枠画像で囲んで表示させる。
【００１６】
この表示制御装置では、操作手段に対して指定操作がされたときに、表示制御部が、指定チャンネルに対応するサムネイル画像の周縁部を太枠画像で囲んで表示させる。このため、ユーザーは、指定したチャンネルに対応するサムネイル画像と他のサムネイル画像とをさらに容易に見分けることが可能となる。
【００１７】
さらに、本発明に係る表示制御装置は、上記の表示制御装置において、前記各チャンネルの放送信号を抽出可能な第１および第２のチューナを備え、前記表示制御部は、前記第１のチューナによって抽出された前記放送信号に基づくテレビ映像と、前記第２のチューナによって抽出された前記放送信号に基づく前記サムネイル画像を含む前記インデックス画面とを合成して前記表示部に表示させる。
【００１８】
この表示制御装置では、表示制御部が、第１のテレビチューナによって抽出された放送信号に基づくテレビ映像と、第２のテレビチューナによって抽出された放送信号に基づくサムネイル画像を含むインデックス画面とを合成して表示させる。このため、テレビ映像用の放送信号と、サムネイル画像用の放送信号とを１つのチューナで抽出する構成とは異なり、インデックス画面を表示させつつテレビ映像を動画像で表示させることが可能となる。
【００１９】
また、本発明に係るテレビジョン装置は、上記の表示制御装置と、前記表示部とを備えている。
【００２０】
このテレビジョン装置によれば、上記の表示制御装置と、上記の表示部とを備えたことにより、上記の表示制御装置が有する効果と同様の効果を実現することが可能となる。
【００２１】
【発明の実施の形態】
以下、本発明に係る表示制御装置およびテレビジョン装置の好適な実施の形態について、添付図面を参照して説明する。図１に示すテレビジョン装置１は、一例として、スクリーンパネルの背面から投射光を投射することによって映像を表示するテレビジョン装置であって、装置本体２およびリモコン３を備えている。装置本体２は、表示部１１、表示制御部１２、選局処理部１３、第１チューナ１４、第１映像信号処理部１５、第２チューナ１６、第２映像信号処理部１７、受光部１８および主制御部１９を備えて構成されている。この場合、表示制御部１２、選局処理部１３、第１チューナ１４、第１映像信号処理部１５、第２チューナ１６、第２映像信号処理部１７、受光部１８、主制御部１９およびリモコン３によって本発明に係る表示制御装置が構成される。なお、このテレビジョン装置１は、実際には、音声出力部を備えているが、本発明についての理解を容易とするために、その図示および説明を省略する。
【００２２】
表示部１１は、図１に示すように、プロジェクタユニット２１およびスクリーンパネル２２を備えて構成されている。プロジェクタユニット２１は、テレビジョン装置１における装置本体２の内部における底面側に配設されて、表示制御部１２によって出力された表示用映像信号Ｓｅに基づいて変調した投射光Ｌをスクリーンパネル２２の背面側に向けて投射する。具体的には、プロジェクタユニット２１は、例えば、光源ランプと、光源ランプによって射出された白色光を映像表示可能な投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。なお、このテレビジョン装置１では、実際には、プロジェクタユニット２１によって投射された投射光Ｌが反射ミラーによって反射されてスクリーンパネル２２に投射されるが、本発明についての理解を容易とするために、その図示および説明を省略する。スクリーンパネル２２は、プロジェクタユニット２１によって投射された投射光Ｌを受光して拡散または平行光に変換することにより、各種画像（映像）を表示する。
【００２３】
表示制御部１２は、選局処理部１３と共に本発明における表示制御部を構成し、第１映像信号処理部１５および第２映像信号処理部１７から出力された画像データＤｐを入力して、例えば、図２に示すテレビ映像Ｐｔ（この場合、家、木および雲の映像）や、図３に示すテレビ映像Ｐｔとインデックス画面Ｐｉ１（以下、後述する他のインデックス画面Ｐｉ２〜Ｐｉ６と区別しないときには「インデックス画面Ｐｉ」ともいう）とを合成した合成画像を表示させるためのＲＧＢ形式の表示用映像信号Ｓｅを生成してプロジェクタユニット２１に出力する。ここで、インデックス画面Ｐｉは、観賞する番組（チャンネル）を選択するための画面であって、図３〜図８に示すように、複数（この場合、例えば６つ）に分割されたエリアにサムネイル画像Ｇｓ１〜Ｇｓ１５（これらの図では、チャンネル１に対応する画像をテレビ映像Ｐｔとして表示しているため、サムネイル画像Ｇｓ１については表示されていない。以下、区別しないときには「サムネイル画像Ｇｓ」ともいう）がそれぞれ表示される。
【００２４】
選局処理部１３は、主制御部１９の制御下で、制御信号Ｓｃ２を出力することにより、第１チューナ１４および第２チューナ１６による放送信号Ｓｂの抽出や、第１映像信号処理部１５および第２映像信号処理部１７による画像データＤｐの出力を制御する。また、選局処理部１３は、リモコン３側でチャンネル選択操作によってチャンネルが選局されたときには、第１チューナ１４に対して選局されたチャンネルの放送信号Ｓｂを抽出させる。さらに、選局処理部１３は、リモコン３側でインデックス画面Ｐｉを表示させる操作がされたときには、第２チューナ１６に対して６つのチャンネルにおける各放送信号Ｓｂを例えば昇順（周波数が低い方から高い方に向けた順）で抽出させる。この場合、選局処理部１３は、リモコン３側での指定操作によってインデックス画面Ｐｉ内に固定的に表示させるサムネイル画像Ｇｓのチャンネルが指定されたときには、そのチャンネルを記憶すると共に、第２チューナ１６に対してその指定されたチャンネルを含む６つのチャンネルの放送信号Ｓｂを抽出させる。
【００２５】
第１チューナ（第１のチューナ）１４は、選局処理部１３から出力された制御信号Ｓｃ２に従い、その制御信号Ｓｃ２に指定されたチャンネルの放送信号Ｓｂを図外のアンテナを介して受信した放送波から抽出して、第１映像信号処理部１５に出力する。第１映像信号処理部１５は、例えば、ＩＦ回路、音声検波回路、映像検波回路およびＡ／Ｄ変換部（いずれも図示せず）などを備えている。この場合、第１映像信号処理部１５は、第１チューナ１４から出力された放送信号Ｓｂから音声信号を抽出して図外の音声出力部に出力する。また、第１映像信号処理部１５は、第１チューナ１４によって出力された放送信号Ｓｂから映像信号を抽出すると共に、その映像信号をＡ／Ｄ変換して画像データＤｐを出力する。第２チューナ１６は、選局処理部１３から出力された制御信号Ｓｃ２に従い、受信した放送波から６つのチャンネルの放送信号Ｓｂを昇順で抽出して第２映像信号処理部１７に出力する。第２映像信号処理部１７は、例えば、ＩＦ回路、映像検波回路、Ａ／Ｄ変換部および画像データ記憶部（いずれも図示せず）などを備えている。この場合、第２映像信号処理部１７は、第２チューナ１６から出力された放送信号Ｓｂから映像信号を抽出すると共に、抽出した映像信号をＡ／Ｄ変換して画像データＤｐを生成して記憶すると共に、生成した画像データＤｐを表示制御部１２に出力する。
【００２６】
受光部１８は、リモコン３から出力された赤外線信号Ｓｉを受光して光電変換して操作信号Ｓｏを出力する。主制御部１９は、受光部１８から出力された操作信号Ｓｏに基づいて制御信号Ｓｃ１を出力することにより、表示制御部１２および選局処理部１３などを統括的に制御する。
【００２７】
リモコン３は、本発明における操作手段に相当し、図２に示すように、装置本体２とは別体に形成されている。また、リモコン３は、インデックス画面表示ボタン３１ａ、指定ボタン３１ｂ、指定解除ボタン３１ｃ、カーソルボタン３１ｄ，３１ｄ・・、決定ボタン３１ｅ、ページ切替ボタン３１ｆ、数字ボタン３１ｇ，３１ｇ・・および電源ボタン３１ｈなどの各種操作ボタンが配列されて構成され、これらの操作ボタンが操作されたときに、各操作ボタンに対応する操作信号を赤外線信号Ｓｉに変換して出力する。
【００２８】
次に、テレビジョン装置１の全体的な動作について、図面を参照して説明する。このテレビジョン装置１では、リモコン３の電源ボタン３１ｈが操作された際に、プロジェクタユニット２１に電源が供給されて、光源ランプが白色光を射出する。また、第１チューナ１４が、直前の電源切断時に選局されていたチャンネル（例えばチャンネルＣＨ１）の放送信号Ｓｂを抽出して出力する。次に、第１映像信号処理部１５が、第１チューナ１４によって出力された放送信号Ｓｂから音声信号を抽出して図外の音声出力部に出力すると共に、その放送信号Ｓｂから映像信号を抽出して画像データＤｐを生成して表示制御部１２に出力する。次に、表示制御部１２が、第１映像信号処理部１５から出力された画像データＤｐに基づいてＲＧＢ形式の表示用映像信号Ｓｅを生成してプロジェクタユニット２１に出力する。これに応じて、プロジェクタユニット２１の変調手段が光源ランプから射出された白色光を表示用映像信号Ｓｅに基づく映像表示用の投射光Ｌに変調し、投射レンズが投射光Ｌを拡大して投射する。これにより、投射光Ｌがスクリーンパネル２２に投射されて、図２に示すように、チャンネルＣＨ１のテレビ映像Ｐｔが表示される。
【００２９】
一方、インデックス画面Ｐｉ１を表示させる際には、リモコン３のインデックス画面表示ボタン３１ａを操作する。この際に、リモコン３がインデックス画面表示ボタン３１ａに対応する赤外線信号Ｓｉを出力し、受光部１８が赤外線信号Ｓｉを受光して操作信号Ｓｏを出力する。これに応じて、主制御部１９が、テレビ映像Ｐｔとインデックス画面Ｐｉとを合成して表示させる旨を指示する制御信号Ｓｃ１を選局処理部１３および表示制御部１２に出力する。次いで、選局処理部１３は、制御信号Ｓｃ１に従い、画像データＤｐを横方向に圧縮して出力する旨を指示する制御信号Ｓｃ２を第１映像信号処理部１５に出力すると共に、６つのチャンネル（例えばチャンネルＣＨ２〜ＣＨ７）の放送信号Ｓｂを昇順で抽出させるための制御信号Ｓｃ２を第２チューナ１６に出力する。続いて、第１映像信号処理部１５は、制御信号Ｓｃ２に従い、第１チューナ１４によって出力されている放送信号Ｓｂから抽出した映像信号を圧縮処理して、テレビ映像Ｐｔを横方向に例えば１／２に圧縮して表示させるための画像データＤｐを生成して出力する。また、第２チューナ１６は、制御信号Ｓｃ２に従い、図外のアンテナを介して受信した放送波からチャンネルＣＨ２〜ＣＨ７の各放送信号Ｓｂを昇順で所定時間刻みで順次抽出して第２映像信号処理部１７に出力する。
【００３０】
次に、第２映像信号処理部１７は、第２チューナ１６によって出力された放送信号Ｓｂから抽出した映像信号をデータ処理して、インデックス画面Ｐｉ内に表示可能な大きさのサムネイル画像Ｇｓに対応する画像データＤｐを生成すると共に、生成した画像データＤｐを記憶する。次いで、第２映像信号処理部１７は、チャンネルＣＨ２〜ＣＨ７の放送信号Ｓｂについての画像データＤｐを生成（記憶）した時点で、各画像データＤｐ，Ｄｐを表示制御部１２に出力する。
【００３１】
続いて、表示制御部１２は、第１映像信号処理部１５および第２映像信号処理部１７からそれぞれ出力された各画像データＤｐに基づき、図３に示すテレビ映像Ｐｔと、インデックス画面Ｐｉ１とを合成した合成画像を表示させるための表示用映像信号Ｓｅを生成してプロジェクタユニット２１に出力する。次に、プロジェクタユニット２１は、表示用映像信号Ｓｅに基く投射光Ｌを投射する。これにより、同図に示すように、テレビ映像Ｐｔと、６つのサムネイル画像Ｇｓ２〜Ｇｓ７を含むインデックス画面Ｐｉ１とを合成した合成画像が、スクリーンパネル２２に表示される。
【００３２】
次に、インデックス画面Ｐｉ１中に興味を抱いたサムネイル画像Ｇｓ（例えば図３に示すサムネイル画像Ｇｓ２，Ｇｓ５）が表示されて、そのサムネイル画像Ｇｓ２，Ｇｓ５をインデックス画面Ｐｉ内に固定的に表示させる際には、リモコン３を用いて指定操作を行う。具体的には、まず、リモコン３の指定ボタン３１ｂを操作する。この際に、主制御部１９は、サムネイル画像Ｇｓの周縁部に太枠画像（図４参照）を表示させるための制御信号Ｓｃ１を表示制御部１２に出力する。これに応じて、表示制御部１２は、インデックス画面Ｐｉ内の例えば右下のサムネイル画像Ｇｓの周縁部に太枠画像を表示するための表示用映像信号Ｓｅを生成して出力する。これにより、インデックス画面Ｐｉ内の右下のサムネイル画像Ｇｓの周縁部に太枠画像が表示される。次いで、リモコン３のカーソルボタン３１ｄ，３１ｄ・・を操作して太枠画像を所望の（指定を希望する）サムネイル画像Ｇｓ（この場合「ＣＨ２」）の位置に移動させる。
【００３３】
この際に、主制御部１９がカーソルボタン３１ｄの操作に応じて出力される操作信号Ｓｏに従って制御信号Ｓｃ１を出力し、表示制御部１２が太枠画像の表示位置を移動させるための表示用映像信号Ｓｅを出力することにより、太枠画像がインデックス画面Ｐｉ内で移動表示される。次に、インデックス画面Ｐｉ２内のサムネイル画像Ｇｓ２の周縁部に太枠画像が表示された時点（図４参照）において、決定ボタン３１ｅを操作する。この際に、主制御部１９は、指定されたサムネイル画像Ｇｓのチャンネル（この場合、チャンネルＣＨ２）を特定可能なチャンネルデータを含む制御信号Ｓｃ１を選局処理部１３に出力し、選局処理部１３は、そのチャンネルデータを記憶する。次いで、同様にして、カーソルボタン３１ｄおよび決定ボタン３１ｅを操作することによってサムネイル画像Ｇｓ５に対する固定表示の指定を行う（図４はこの時点での状態を表示している）。
【００３４】
次いで、インデックス画面Ｐｉをページ切替して次のチャンネル（チャンネルＣＨ８以降のチャンネル）に対応するサムネイル画像Ｇｓを切替表示させる（切替表示制御を実行させる）際には、リモコン３のページ切替ボタン３１ｆを操作する。これに応じて、リモコン３が赤外線信号Ｓｉを出力し、受光部１８が赤外線信号Ｓｉを変換して操作信号Ｓｏを出力する。次いで、主制御部１９が操作信号Ｓｏに従ってインデックス画面Ｐｉのページ切替を指示する制御信号Ｓｃ１を選局処理部１３に出力する。これに応じて、選局処理部１３は、制御信号Ｓｃ２を出力することにより、第２チューナ１６に対して、記憶しているチャンネルデータに対応するチャンネルＣＨ２，ＣＨ５の放送信号Ｓｂと、チャンネルＣＨ８〜ＣＨ１１の放送信号Ｓｂとを抽出させると共に、第２映像信号処理部１７に対して、これらの各放送信号Ｓｂについての画像データＤｐを出力させる。続いて、表示制御部１２は、第１映像信号処理部１５および第２映像信号処理部１７からそれぞれ出力された各画像データＤｐに基づき、図５に示すテレビ映像Ｐｔとインデックス画面Ｐｉ３とを合成した合成画像を表示させるための表示用映像信号Ｓｅを生成してプロジェクタユニット２１に出力する。
【００３５】
次いで、プロジェクタユニット２１が投射光Ｌを投射することにより、図５に示すように、テレビ映像Ｐｔと、チャンネルＣＨ２，ＣＨ５，ＣＨ８〜ＣＨ１１にそれぞれ対応するサムネイル画像Ｇｓ２，Ｇｓ５，Ｇｓ８〜１１を含むインデックス画面Ｐｉ３とを合成した合成画像が、スクリーンパネル２２に表示される。この場合、表示制御部１２は、サムネイル画像Ｇｓ２，Ｇｓ５をインデックス画面Ｐｉ３の左上隅（いずれかの隅部）から整列して順次表示させる。また、表示制御部１２は、サムネイル画像Ｇｓ２，Ｇｓ５の周縁部に太枠画像を表示させる。この場合、サムネイル画像Ｇｓ２，Ｇｓ５がインデックス画面Ｐｉ３内の左上隅から整列して表示されると共に、各々の周縁部に太枠画像が表示されるため、固定表示を指定したサムネイル画像Ｇｓ２，Ｇｓ５と他のサムネイル画像Ｇｓとが明確に区別される。このため、例えば、ユーザーがどのサムネイル画像Ｇｓの固定表示を指定したのかが不明となって指定操作を最初からやり直す事態が確実に防止される。
【００３６】
次に、図５に示すインデックス画面Ｐｉ３内に興味を抱くような新たなサムネイル画像Ｇｓ（例えば同図に示すサムネイル画像Ｇｓ１０）が表示された際には、上記した指定操作を行う。これにより、図６に示すように、インデックス画面Ｐｉ４内のサムネイル画像Ｇｓ１０の周縁部に太枠画像が表示されると共に、チャンネルＣＨ１０についてのチャンネルデータが選局処理部１３によって記憶される。一方、指定していたサムネイル画像Ｇｓ５の指定を解除する際には、リモコン３の指定解除ボタン３１ｃを操作する。この際に、同図に示すように、指定の際の太枠画像の色（例えば黒色）とは異なる色（例えば青色）の太枠画像がインデックス画面Ｐｉの右下に表示される。次に、カーソルボタン３１ｄを操作して青色の太枠画像をサムネイル画像Ｇｓ５に移動させた後に決定ボタン３１ｅを操作する。この際に、主制御部１９が、サムネイル画像Ｇｓ５の周縁部に表示されている太枠画像の表示を解除させるための制御信号Ｓｃ１を表示制御部１２に出力すると共に、サムネイル画像Ｇｓ５の指定を解除する旨の制御信号Ｓｃ１を選局処理部１３に出力する。これにより、図７に示すように、サムネイル画像Ｇｓ５の周縁部に表示されていた太枠画像の表示が解除されたインデックス画面Ｐｉ５が表示されることにより、指定の解除がユーザーに報知される。また、選局処理部１３は、主制御部１９から出力された制御信号Ｓｃ１に従い、記憶しているチャンネルＣＨ５についてのチャンネルデータを消去する。
【００３７】
次に、インデックス画面Ｐｉをページ切替して次のチャンネル（チャンネルＣＨＣ１２以降のチャンネル）に対応するサムネイル画像Ｇｓを表示させる際には、上記した操作と同様にして、リモコン３のページ切替ボタン３１ｆを操作する。次いで、主制御部１９がインデックス画面Ｐｉのページ切替を指示する制御信号Ｓｃ１を出力し、選局処理部１３が制御信号Ｓｃ１に従って制御信号Ｓｃ２を出力する。続いて、第２チューナ１６が、制御信号Ｓｃ２に従い、記憶しているチャンネルデータに対応するチャンネルＣＨ２，ＣＨ１０の放送信号Ｓｂと、チャンネルＣＨ１２〜ＣＨ１５の放送信号Ｓｂとを抽出する。次に、第２映像信号処理部１７は、これらの各放送信号Ｓｂについての画像データＤｐを生成して出力する。次いで、表示制御部１２は、第１映像信号処理部１５および第２映像信号処理部１７からそれぞれ出力された各画像データＤｐに基づいて、図８に示すテレビ映像Ｐｔとインデックス画面Ｐｉ６とを合成した合成画像を表示させるための表示用映像信号Ｓｅを生成して出力する。これにより、同図に示すように、サムネイル画像Ｇｓ２，Ｇｓ１０，Ｇｓ１２〜Ｇｓ１５を含むインデックス画面Ｐｉ６と、テレビ映像Ｐｔとを合成した合成画像が、スクリーンパネル２２に表示される。この場合、サムネイル画像Ｇｓ２，Ｇｓ１０は、インデックス画面Ｐｉ６内の左上隅から整列して表示される。またサムネイル画像Ｇｓ２，Ｇｓ１０の周縁部には、太枠画像が表示される。
【００３８】
続いて、上記したインデックス画面Ｐｉのページ切替の操作、およびサムネイル画像Ｇｓに対する固定表示の指定操作を繰り返して行いつつ、好みの番組を見つける。次に、例えば指定したサムネイル画像Ｇｓの中から好みの番組が見つかった場合には、数字ボタン３１ｇ，３１ｇ・・を操作してそのチャンネルの数字を入力して、そのテレビ映像Ｐｔをスクリーンパネル２２の全面に表示させる。この際に、主制御部１９が入力された数字に対応するチャンネルにチャンネル切替させる旨を指示する制御信号Ｓｃ１を選局処理部１３に出力し、選局処理部１３がそのチャンネルの放送信号Ｓｂを抽出させるための制御信号Ｓｃ２を第１チューナ１４に出力する。これに応じて、第１チューナ１４がそのチャンネルの放送信号Ｓｂを抽出し、第１映像信号処理部１５が、第１チューナ１４によって出力された放送信号Ｓｂから映像信号を抽出して画像データＤｐを生成して表示制御部１２に出力する。これにより、数字入力されたチャンネルのテレビ映像Ｐｔがスクリーンパネル２２の全面に亘って表示される。
【００３９】
このように、このテレビジョン装置１によれば、リモコン３側で指定操作がされたときに、表示制御部１２が、指定されたチャンネルに対応するサムネイル画像Ｇｓをインデックス画面Ｐｉ内に固定的に表示させると共にそのサムネイル画像Ｇｓ以外の他のサムネイル画像Ｇｓに対して切替表示制御を実行することにより、テレビジョン装置１を使用しているユーザーが興味を抱いたサムネイル画像Ｇｓをその場で指定してインデックス画面Ｐｉ内に固定的に表示させることができるため、予めセットされたチャンネルに対応するサムネイル画像を表示する従来のテレビジョン装置とは異なり、どのユーザーであってもインデックス画面Ｐｉの切り替えを何度も繰り返すことなく、興味を抱いた複数のサムネイル画像Ｇｓを１つのインデックス画面Ｐｉ内で見比べてその中から観賞する番組を選択することができる。したがって、複数のユーザーが利用する状況下においても、各ユーザーが好みの番組を短時間でしかも容易に選択することができる。
【００４０】
また、指定されたチャンネルに対応するサムネイル画像Ｇｓをインデックス画面Ｐｉ内の左上隅から整列（上部に整列）して表示させると共に、そのサムネイル画像Ｇｓの周縁部に太枠画像を表示させることにより、指定されたチャンネルに対応するサムネイル画像Ｇｓと、他のチャンネルに対応するサムネイル画像Ｇｓとを容易に見分けさせることができる。したがって、例えば、ユーザーがどのサムネイル画像Ｇｓを指定したのかが不明となって指定操作を最初からやり直す事態を確実に防止することができる。
【００４１】
また、テレビ映像Ｐｔ用の第１チューナ１４と、サムネイル画像Ｇｓ用の第２チューナ１６とを備え、テレビ映像Ｐｔと、サムネイル画像Ｇｓを含むインデックス画面Ｐｉとを合成して表示することにより、テレビ映像Ｐｔ用の放送信号Ｓｂと、インデックス画面Ｐｉ用の放送信号Ｓｂとを１つのチューナで抽出する構成とは異なり、インデックス画面Ｐｉを表示させつつテレビ映像Ｐｔを動画像で表示させことができる。
【００４２】
なお、本発明は、上記した本発明の実施の形態に限定されない。例えば、本発明の実施の形態では、プロジェクタユニット２１およびスクリーンパネル２２を備えて表示部１１を構成した例について説明したが、表示部としてＣＲＴや液晶表示パネルを採用することもできる。また、表示部を備えずに、外部の表示装置にテレビ映像Ｐｔやインデックス画面Ｐｉを表示させる表示制御装置に本発明を適用することもできる。また、本発明の実施の形態では、６つのサムネイル画像Ｇｓをインデックス画面Ｐｉ内に表示する例について説明したが、サムネイル画像Ｇｓの数としては、６つに限定されず２つ以上の任意の数のサムネイル画像Ｇｓを表示することができる。さらに、テレビ映像Ｐｔとインデックス画面Ｐｉとを合成した合成画像を表示する例について説明したが、インデックス画面Ｐｉだけをスクリーンパネル２２の全面に亘って表示させることもできる。この場合、２つのチューナを備える必要はなく、１つのチューナでテレビ映像Ｐｔとインデックス画面Ｐｉとを切り替えて表示させることもできる。
【図面の簡単な説明】
【図１】テレビジョン装置１の構成を示すブロック図である。
【図２】テレビジョン装置１の正面図である。
【図３】スクリーンパネル２２にテレビ映像Ｐｔおよびインデックス画面Ｐｉ１を表示させている状態の表示画面図である。
【図４】スクリーンパネル２２にテレビ映像Ｐｔおよびインデックス画面Ｐｉ２を表示させている状態の表示画面図である。
【図５】スクリーンパネル２２にテレビ映像Ｐｔおよびインデックス画面Ｐｉ３を表示させている状態の表示画面図である。
【図６】スクリーンパネル２２にテレビ映像Ｐｔおよびインデックス画面Ｐｉ４を表示させている状態の表示画面図である。
【図７】スクリーンパネル２２にテレビ映像Ｐｔおよびインデックス画面Ｐｉ５を表示させている状態の表示画面図である。
【図８】スクリーンパネル２２にテレビ映像Ｐｔおよびインデックス画面Ｐｉ６を表示させている状態の表示画面図である。
【符号の説明】
１  テレビジョン装置、３  リモコン、１１  表示部、１２  表示制御部、１３  選局処理部、１４  第１チューナ、１６  第２チューナ、Ｇｓ２〜Ｇｓ１５サムネイル画像、Ｐｉ１〜Ｐｉ６  インデックス画面、Ｐｔ  テレビ映像、Ｓｂ  放送信号
【図１】
2005033420.tif 000003
【図２】
2005033420.tif 000004
【図３】
2005033420.tif 000005
【図４】
2005033420.tif 000006
【図５】
2005033420.tif 000007
【図６】
2005033420.tif 000008
【図７】
2005033420.tif 000009
【図８】
2005033420.tif 000010